(57)【特許請求の範囲】
【請求項１】
シャツ等の身頃側と袖側とを縫合したシャツ等の肌着であって、
上記肌着の腋下のマチ部分の身頃側部をマチ部の身頃側の前部上端部分を身頃側から袖側に対して近づく凹曲線状の曲線状態として、身頃側に入り込んだ膨出状態の湾曲状とし、
マチ部を二重に生地を重ね合わせるとともに二重状とした肌側の生地を吸水性に優れた布地材とし、その外側の生地を水分発散性に優れた布地材とし、
上記マチ部の前端部である前身頃側の上端部を身頃よりに、マチ部材の後端部である後身頃側の上端部を袖側よりに位置し、マチ部の前身頃側の上端部を後身頃側の上端部よりも高い位置として前身頃、後身頃に縫合して縫製したことを特徴とするシャツ等の肌着。
【請求項２】
身頃側と袖側とを舟形状のマチ部材を介して縫合したシャツ等の肌着であって、
マチ部材を二重に生地を重ね合わせるとともに二重状とした肌側の生地を吸水性に優れた布地材とし、その外側の生地を水分発散性に優れた布地材として、マチ部材の身頃側の前部上端部分を身頃側から袖側に対して近づく凹曲線状の曲線状態とし、マチ部材の袖側の前部上端部分を袖側から身頃側に対して遠ざかる凸曲線状の曲線状態としたやや変形した舟形状とし、
上記マチ部材の前端部である前身頃側の上端部を身頃よりに、マチ部材の後端部である後身頃側の上端部を袖側よりに位置し、マチ部の前身頃側の上端部を後身頃側の上端部よりも高い位置として前身頃、後身頃に縫合して縫製した請求項１に記載のシャツ等の肌着。
【請求項３】
マチ部材を伸縮性の高い生地をその伸縮性の高い生地方向がマチの幅方向となるように裁断した請求項２に記載のシャツ等の肌着。
【請求項４】
半袖シャツ等の袖を袖上部と袖下部とに分割し、袖下部を腋下側から二重に重ね合わせるとともに、袖下部のマチ部の前身頃側を身頃側に入り込んだ膨出状態の湾曲状とし、
上記マチ部の前端部である前身頃側の上端部を身頃よりに、マチ部材の後端部である後身頃側の上端部を袖側よりに位置し、マチ部の前身頃側の上端部を後身頃側の上端部よりも高い位置として前身頃、後身頃に縫合して縫製した請求項１に記載のシャツ等の肌着。
【請求項５】
肌着本体の背中部の上部側を二重に重ね合わせていて、その肌側に吸水性および水分移送性に優れた繊維生地を使用した請求項１ないし５のいずれかに記載のシャツ等の肌着。
【発明の詳細な説明】
【０００１】
【発明が属する技術分野】
本発明は、被服分野におけるシャツ等の肌着に関するものである。
【０００２】
【従来の技術】
肌着は、体の保温と清浄に保つことから着用されるが、特に腋部が汗をかきやすくて肌着の腋部分が汗を吸い取って湿った状態となるので、不快となりやすいものである。
【０００３】
そのため、肌着の袖下の腋部に汗取りパッドを装着したり、吸湿性や熱放散性に優れる布地を使用して対処することも考えられている。
【０００４】
【発明が解決しようとする課題】
しかし、汗取りパッドは、汗の吸着性が良いものの着心地がよくなく、また一枚の布地であるとその機能がどうしても不足となるもので、汗の吸着性がよくて、吸着した湿分の放散性のよい、着心地のいいシャツ等の肌着を開発することが課題であった。
【０００５】
【課題を解決するための手段】
本発明は、上記のような点に鑑みたもので、上記の課題を解決するために、シャツ等の身頃側と袖側とを縫合したシャツ等の肌着であって、上記肌着の腋下のマチ部分の身頃側部をマチ部の身頃側の前部上端部分を身頃側から袖側に対して近づく凹曲線状の曲線状態として、身頃側に入り込んだ膨出状態の湾曲状とし、マチ部を二重に生地を重ね合わせるとともに二重状とした肌側の生地を吸水性に優れた布地材とし、その外側の生地を水分発散性に優れた布地材とし、上記マチ部の前端部である前身頃側の上端部を身頃よりに、マチ部材の後端部である後身頃側の上端部を袖側よりに位置し、マチ部の前身頃側の上端部を後身頃側の上端部よりも高い位置として前身頃、後身頃に縫合して縫製したことを特徴とするシャツ等の肌着を提供するものである。
【０００６】
【発明の実施の形態】
本発明のシャツ等の肌着は、シャツ等の身頃側と袖側とを縫合したシャツ等の肌着であって、上記肌着の腋下のマチ部分の身頃側部をマチ部の身頃側の前部上端部分を身頃側から袖側に対して近づく凹曲線状の曲線状態として、身頃側に入り込んだ膨出状態の湾曲状とし、マチ部を二重に生地を重ね合わせるとともに二重状とした肌側の生地を吸水性に優れた布地材とし、その外側の生地を水分発散性に優れた布地材とし、上記マチ部の前端部である前身頃側の上端部を身頃よりに、マチ部材の後端部である後身頃側の上端部を袖側よりに位置し、マチ部の前身頃側の上端部を後身頃側の上端部よりも高い位置として前身頃、後身頃に縫合して縫製したことを特徴としている。
【０００７】
肌着１は、長袖のシャツ、半袖のシャツ、Ｔ−シャツ、袖付きのスリップ等の袖付きの下着が適用できるもので、図１のように前身頃２と後身頃３で形成される肌着本体４に長袖や半袖等の袖５を縫着して構成される。
【０００８】
この肌着１の袖５は、図１〜図３のように腋下のマチ部６に図４のようなやや変形した舟形状のマチ部材７を二重に生地８、９を重ね合わせて前身頃２と後身頃３に縫合したり、図５のように袖５を上下に２分割して縫合することができる。
【０００９】
肌着本体４は、トルファン綿、インド綿等の綿や、綿とナイロン等合成繊維との混紡、綿と毛、毛、合成繊維等の生地で形成できるもので、上記マチ部材７の肌側の生地８を吸水性に優れるトルファン綿、インド綿等の天然繊維や、吸水性および水分移送性に優れた異形断面等の合成繊維、これらの複合糸や交編した生地を使用し、外側の生地９を吸水性に優れた天然繊維や、より好ましくは水分発散性に優れたレーヨン等の再生繊維、プロミックス等の半合成繊維、ポリエステル等の合成繊維、これらの複合糸や交編した生地を使用するものとし、腋部の汗の発生に対してもベタつきの少なく、着心地のよい肌着となるようにしている。
【００１０】
マチ部６は、図４のように身頃側部分を袖側部分に対してこれらの仮想中心線Ａ−Ａに対して２〜３倍の幅広状としているとともに、伸縮性の高い生地をその伸縮性の高い生地方向がマチの幅方向となるように裁断して、図３、図４のようにマチ部の身頃側部分の前部上端部分を身頃側から袖側に対して近づく凹曲線状の曲線状態とし、マチ部６の袖側部分の前部上端部分を袖側から身頃側に対して遠ざかる凸曲線状の曲線状態として腋下部分に身頃側に深く入り込んだ膨出状態の湾曲状として縫合している。
【００１１】
そしてまた、図４のように仮想脇線Ｂ−Ｂを中心として前部側を後部側よりも１０〜３０％程長く形成し、袖付け縫製時に袖下のマチ部材７の二重の生地８、９を伸ばして身頃２、３、袖５側に縫着するのが好ましいとともに、図１（ａ）、（ｂ）のように身頃側と袖側との腋下部のマチ部６の縫合部の前身頃２側の上端部１０を後身頃３側の上端部１１よりも高い位置として、汗をかきやすくて汗が溜まりやすい腋下前方部の最適な位置に対応して、マチ部材７がもたつかずに自然に腋にフィットし、効果的に汗を吸収し、汗の漏れを防止できるようにしている。
【００１２】
また、図４のようにマチ部材７の前端部１０、後端部（後身頃３側の上端部）１１は、仮想脇線Ｂ−Ｂに対しての垂直線上に位置せずに前端側を身頃よりに、後端側を袖側に位置するようにして、腋の前進運動、特に身体の前中心側へ向けての活発な腋の動きに対応しやすく、長袖等の袖や身頃がずれ上りにくいようにしている。
【００１３】
さらに、図１（ｂ）のように肌着本体４の背中部１２の斜線で示した上部側を二重に重ね合わせていて、肌側に吸水性および水分移送性に優れた異形断面等の合成繊維、これらの複合糸や交編した生地を使用している。
【００１４】
上記した技術の解決原理は、図５（ａ）、（ｂ）のように半袖シャツの肌着１にも対応できるもので、半袖シャツの袖５を袖下部１３と袖上部１４とに分割し、袖下部１３を腋下側から二重に重ね合わせて縫製していて、前記と同じように肌側を吸水性に優れた布地材で、外側を吸水性またはより好ましい水分発散性に優れた布地材で形成するものである。
【００１５】
そして、図６（ａ）のように袖下部１３の前身頃２、後身頃３側は、上記したマチ部材７の端部と同様の形状としていて、前身頃２、後身頃３、袖５部に上記したようにして縫合するもので、マチ部６の身頃側部分の前部上端部分を身頃側から袖側に対して近づく凹曲線状の曲線で、マチ部の袖側部分の前部上端部分を袖側から身頃側に対して遠ざかる凸曲線状の曲線として腋部分の身頃側に深く入り込んだ膨出状態の湾曲状として縫合している。一点鎖線は、上記の変形した舟形状のマチ部材７の形状を参考に示したものである。
【００１６】
また、図６（ａ）のように仮想脇線Ｃ−Ｃを中心として前部側を後部側よりも１０〜３０％程長く形成し、必要により袖付け縫製時に袖下のマチ部材７の二重の生地８、９を伸ばして身頃２、３、袖５に縫着するとともに、図５（ａ）、（ｂ）のように身頃側と袖側との腋下部のマチ部６の縫合部の前身頃２側の上端部１０を後身頃３側の上端部１１よりも高い位置として、汗をかきやすくて汗が溜まりやすい腋下前方部の最適な位置に対応してフィットし、効果的に汗を吸収して漏れるのを防止するようにしている。
【００１７】
そしてまた、図６（ｂ）のように上記袖下部１３に対応して袖上部１４を身頃側の端部にそうようにし、袖下部１３と袖上部１４とを縫合して前身頃２、後身頃３に縫着するようにしている。
【００１８】
さらに、前記のものと同じく図５（ｂ）のように肌着本体４の背中部１２の斜線で示した上部側を二重に重ね合わせていて、肌側に吸水性および水分移送性に優れた異形断面等の合成繊維、これらの複合糸や交編した生地を使用している。
【００１９】
【実施例】
図１〜図４は、本発明の一実施例を示すもので、女性用の長袖シャツの肌着１に実施したものである。長袖シャツの肌着１の肌着本体４、袖５は吸水性および水分移送性に優れたナイロンをカバーリングしたポリウレタン糸と綿糸を交編した生地で形成していて、その腋下のマチ部６を図４のようにマチ部６の身頃側部を袖側部に対してこれらの中心線に対して２．５倍の幅広状とし、仮想脇線Ｂ−Ｂを中心として前部側を後部側よりも３０％程長く形成して二重に重ね合わせて、図３のように袖付け縫製時に袖下のマチ部材７の上記した吸水性および水分移送性に優れた生地８と水分発散性に優れたポリエステルをカバーリングしたポリウレタン糸と綿糸を交編した生地９の二重に重ね合わせた生地を伸ばして身頃２、３、袖５側に縫着したものである。
【００２０】
また、図１（ｂ）のように肌着本体４の背中部１２の斜線で示した上部側を二重に重ね合わせていて、肌側に上記した吸水性および水分移送性こ優れた交編生地を使用している。
【００２１】
そのため、本肌着１を試着した結果、袖や身頃がずれ上りにくく、マチ部材７が汗をかきやすくて汗が溜まりやすい腋下前方部の最適な位置に対応してフィットし、効果的に汗を吸収して漏れを防止でき、図４のようにマチ部材７の前端部１０、後端部１１は仮想脇線Ｂ−Ｂに対しての垂直線上に位置せずに前端側を身頃よりに、後端側を袖側に位置するようにしているため、腋の前進運動、特に身体の前中心側へ向けての活発な腋の動きに対応しやすかった。
【００２２】
また、背中部１２の上部側が上記のように二重に重ね合わせなので、汗等の吸収性も良好で、腰部がゴワゴワしなくて背中が温かく、着心地のよいものであった。なお、夏期用には、背中部の重ね合わせを省略することもできる。
【００２３】
図５、図６は、本発明の他の実施例で、半袖シャツの肌着１に実施したものであり、本実施例でも上記と同様の生地で編成しているもので、マチ部６を上記のようにして半袖シャツの袖５を袖下部１３と袖上部１４とに分割し、袖下部１３を腋下側から二重に重ね合わせて縫製し、肌側を吸水性に優れた上記した交編生地８で、外側を水分発散性に優れた交編生地９で形成したものである。
【００２４】
また、本実施例でも、図５（ｂ）のように背中部１２の上部側を二重に重ね合わせていて、肌側に吸水性および水分移送性に優れた上記した交編生地を使用している。
【００２５】
本実施例の肌着１を試着した結果についても、上記した長袖シャツと同様で、肌側を吸水性および水分移送性に優れた布地材で、外側を水分発散性に優れた布地材で形成しているため、汗等の水分を肌に留めておかずに外側に移送して、着心地のよいものであった。
【００２６】
なお、半袖シャツについても、長袖シャツのような変形した舟形状のマチ部とすることも可能であるが、本実施例のようにするのが縫製工程が少なくて好ましく、またこれらは男性用にも適用でき、特に女性用のときには首まわりや袖口にレースやフリル等の装飾を施すこともできるものである。
【００２７】
【発明の効果】
以上のように本発明にあっては、肌着の腋下のマチ部分の身頃側部をマチ部の身頃側の前部上端部分を身頃側から袖側に対して近づく凹曲線状の曲線状態として、身頃側に入り込んだ膨出状態の湾曲状としたので、腋の前進運動、特に身体の前中心側へ向けての活発な腋の動きに対応でき、長袖等の袖や身頃がずれ上りにくくでき、かつマチ部が腋にフィットしてスマートなシルエットにできるとともに、腕の運動に対応してマチ部の生地が柔軟に伸縮してアウターに響かずに着心地よくできる。さらに、汗をかきやすくて汗が溜まりやすい腋下前方部の位置に対応して自然にフィットできる。
【００２８】
そして、マチ部を二重に生地を重ね合わせるとともに二重状とした肌側の生地を吸水性に優れた布地材とし、その外側の生地を水分発散性に優れた布地材として形成することによって、腋部の汗の発生に対しても内側の水分を外側へ移送して肌にベタつきが少なく、着心地よく着用することができる。
また、マチ部の前身頃側の上端部を後身頃側の上端部よりも高い位置として前身頃、後身頃に縫合することによって、マチ部を汗をかきやすくて汗が溜まりやすい腋下前方部の最適な位置にフィットし、上記のように効果的に汗を吸収して漏れを防止することができる。
【００２９】
また、身頃側と袖側とを舟形状のマチ部材を介して縫合したシャツ等の肌着であって、マチ部材を二重に生地を重ね合わせるとともに二重状とした肌側の生地を吸水性に優れた布地材とし、その外側の生地を水分発散性に優れた布地材として、マチ部材の身頃側の前部上端部分を身頃側から袖側に対して近づく凹曲線状の曲線状態とし、マチ部材の袖側の前部上端部分を袖側から身頃側に対して遠ざかる凸曲線状の曲線状態としたやや変形した舟形状とし、上記マチ部材の前端部である前身頃側の上端部を身頃よりに、マチ部材の後端部である後身頃側の上端部を袖側よりに位置し、マチ部の前身頃側の上端部を後身頃側の上端部よりも高い位置として前身頃、後身頃に縫合して縫製したことによって、腋の前進運動、特に身体の前中心側へ向けての活発な腋の動きに対応でき、長袖等の袖や身頃がずれ上りにくくでき、かつマチ部が腋にフィットしてスマートなシルエットにできるとともに、腕の運動に対応してマチ部の生地が柔軟に伸縮してアウターに響かずに着心地よくでき、さらに汗をかきやすくて汗が溜まりやすい腋下前方部の位置に対応して自然にフィットできる。
【００３０】
またさらに、上記マチ部を伸縮性の高い生地をその伸縮性の高い生地方向がマチの幅方向となるように裁断したことによって、マチ部が舟形状のシャツ等の肌着に適用して、腕の運動に対応してマチ部の生地が柔軟に伸縮してアウターに響かずに着心地よくできる。
【００３１】
またさらに、半袖シャツ等の袖を袖上部と袖下部とに分割し、袖下部を腋下側から二重に重ね合わせるとともに、袖下部のマチ部の前身頃側を身頃側に入り込んだ膨出状態の湾曲状とし、上記マチ部の前端部である前身頃側の上端部を身頃よりに、マチ部の後端部である後身頃側の上端部を袖側よりに位置し、マチ部の前身頃側の上端部を後身頃側の上端部よりも高い位置として前身頃、後身頃に縫合して縫製したことによって、上記した効果を奏するとともに、半袖で二重のマチ付きであるにもかかわらず、おしゃれで、すっきりとしたシルエットの半袖シャツを得ることができる。
【００３２】
さらに、肌着本体の背中部の上部側を二重に重ね合わせていて、その肌側に吸水性および水分移送性に優れた繊維生地を使用することによって、汗等の吸収性も良好で、腰部がゴワゴワしなくて背中が温かく、着心地のよいものである。
【図面の簡単な説明】
【図１】本発明の一実施例の説明用正面図（ａ）と背面図（ｂ）、
【図２】同上の腋下マチ部の説明用拡大正面図、
【図３】同上の縫製説明用図、
【図４】同上のマチ部の拡大正面図、
【図５】同上の他の実施例の説明用正面図（ａ）と背面図（ｂ）、
【図６】同上の袖下部の拡大展開図（ａ）と袖上部の拡大展開図（ｂ）。
【符号の説明】
１…肌着              ２…前身頃            ３…後身頃
４…肌着本体          ５…袖                ６…マチ部
７…マチ部材
【図１】
0003980916.tif 000002
【図２】
0003980916.tif 000003
【図３】
0003980916.tif 000004
【図４】
0003980916.tif 000005
【図５】
0003980916.tif 000006
【図６】
0003980916.tif 000007